(57)【要約】【課題】歩行型ロータリ耕耘機の畦際処理装置による畦際整形作業において、オペレータの操作負荷を抑えて機体の直進性を確保することにある。【解決手段】歩行型ロータリ耕耘機の畦際処理装置は、歩行型ロータリ耕耘機１のロータリ軸３によって駆動され、畦際部の所定幅を掘起こすロータリ式の畦際耕耘爪４と、この畦際耕耘爪４の後方で耕土を側方に寄せつつ畦の法面を含む溝を整形する溝浚具５とから構成されるほかに、上記畦際耕耘爪４の前方位置で畦の側面に接して歩行型ロータリ耕耘機１に取付け可能なガイド部材２を備える。【選択図】図１
2005176773.tif 000002
【特許請求の範囲】
【請求項１】
歩行型ロータリ耕耘機のロータリ軸によって駆動され、畦際部の所定幅を掘起こすロータリ式の畦際耕耘爪と、この畦際耕耘爪の後方で耕土を側方に寄せつつ畦の法面を含む溝を整形する溝浚具とからなる歩行型ロータリ耕耘機の畦際処理装置において、
上記畦際耕耘爪の前方位置で畦の側面に接して歩行型ロータリ耕耘機に取付け可能なガイド部材を備えることを特徴とする歩行型ロータリ耕耘機の畦際処理装置。
【請求項２】
前記ガイド部材の基部には、畦の側面から外れてその保持位置を変更可能な保持部を形成したことを特徴とする請求項１記載の歩行型ロータリ耕耘機の畦際処理装置。
【発明の詳細な説明】
【技術分野】
【０００１】
本発明は、歩行型ロータリ耕耘機に取付けて畦際の整形を行うための歩行型ロータリ耕耘機の畦際処理装置に関するものである。
【背景技術】
【０００２】
畦際部の所定幅を掘起こすロータリ式の畦際耕耘爪を歩行型ロータリ耕耘機のロータリ軸に取付け、この畦際耕耘爪による耕土を側方に排除しつつ畦の法面を整形する溝浚具を機体の後部に取付けることにより畦際の整形を行うようにした歩行型ロータリ耕耘機の畦際処理装置が知られている。
【０００３】
この畦際処理装置は、田植えに先立って畦際の水漏れ補修等の圃場整備のために使用され、機体幅位置よりロータリ軸を長く形成した畦際耕耘爪を歩行型ロータリ耕耘機の片側に取付け、その畦際耕耘爪の外側端を畦の側面に接して機体を前進させることにより、畦の片側の法面を削り出し、次いで、後部の溝浚具によって耕土を片側に寄せて畦の法面と畦際の溝を整形する。
【０００４】
この畦際処理装置による畦際整形作業においては、掘進動作をする畦際耕耘爪からの走行負荷が機体の片側に作用することにより機体が畦に近付く方向に偏進動作するので、機体の後部に延びる操縦ハンドルをオペレータが押さえて機体を直進方向に維持する必要があり、また、走行負荷の変動による不安定な機体の動作に対処するべく、進路修正を迫られる場合がある。そのため、歩行型ロータリ耕耘機による畦際処理作業は、オペレータに多大な負担が掛かっていた。
【０００５】
このような機体の偏進動作を含め、ダッシング等の不安定な動作を抑えつつ、耕耘深さを規定するための抵抗杆を機体後部の畦と反対位置に設け、この抵抗杆が圃場面と接して機体の偏進動作に対抗するように構成した例（例えば、特許文献１参照）がある。
【０００６】
しかし、上記抵抗杆によっても、機体の偏進動作に対して十分な対抗力を得ることができず、操作性の改善が待たれていた。その他、ブロック畦やコンクリート畦の場合に、その側面に畦際耕耘爪が接触しないように、畦際に隙間を残す必要があり、この残耕部に雑草が生えるという問題や、畦シートを設置する場合は、別途、畦際に溝を形成する別工程の作業が必要となり、作業能率上の問題があった。
【特許文献１】特開２０００−０１４２０１号公報
【発明の開示】
【発明が解決しようとする課題】
【０００７】
解決しようとする問題点は、歩行型ロータリ耕耘機の畦際処理装置による畦際整形作業において、オペレータの操作負荷を抑えて機体の直進性を確保することにある。
【課題を解決するための手段】
【０００８】
請求項１に係る発明は、歩行型ロータリ耕耘機のロータリ軸によって駆動され、畦際部の所定幅を掘起こすロータリ式の畦際耕耘爪と、この畦際耕耘爪の後方で耕土を側方に寄せつつ畦の法面を含む溝を整形する溝浚具とからなる歩行型ロータリ耕耘機の畦際処理装置において、上記畦際耕耘爪の前方位置で畦の側面に接して歩行型ロータリ耕耘機に取付け可能なガイド部材を備えることを特徴とする。
【０００９】
請求項２に係る発明は、請求項１の構成において、前記ガイド部材の基部には、畦の側面から外れてその保持位置を変更可能な保持部を形成したことを特徴とする。
【発明の効果】
【００１０】
本発明のロータリ耕耘機の畦際処理装置は、所定のガイド部材を備えることにより、畦際耕耘爪、溝浚具と合わせて、さらにガイド部材を歩行型ロータリ耕耘機に取付け、畦際耕耘爪の外側端を畦の側面に接して機体を前進させることにより、畦の片側の法面が削り出され、次いで、後部の溝浚具によって耕土を片側に寄せることによって畦の法面と畦際の溝が整形される。この時、畦際耕耘爪の前方のガイド部材が畦の側面に接して機体の進行方向を案内することから、畦際耕耘爪による偏心負荷を受けても、機体の進行方向が確保される。したがって、オペレータの修正操作の負担を要することなく、機体が畦に沿って前進することにより、高精度で畦際処理を進めることができる（請求項１）。
【００１１】
前記ガイド部材は、その保持位置を変更可能な保持部を備えることから、この保持部によってガイド部材の保持位置を変更することにより、作業場所の移動の際に地上側の凹凸の影響を受けることなく、スムーズに走行することができる。
【発明を実施するための最良の形態】
【００１２】
本発明の実施の形態について、以下に図面に基づいて詳細に説明する。
畦際処理装置は、歩行型ロータリ耕耘機の側面図および平面図をそれぞれ、図１と図２に示すように、歩行型ロータリ耕耘機１の機体前部に取付けるガイド部材２と、ロータリ軸３に取付ける畦際耕耘爪４と機体後部に取付ける溝浚具５等から構成される。
【００１３】
歩行型ロータリ耕耘機１は、左右の走行車輪１１，１１により走行支持される機体にエンジン１２を搭載し、このエンジン１２によって比較的高速で駆動される左右のロータリ軸３、３と機体後部に延びる操縦ハンドル１３等を備える。
【００１４】
ガイド部材２は、図３の正面図に示すように、畦の側面に接する位置に配置することによって機体の進行方向を畦の側面に沿って案内するものであり、図例の車輪のほか、ソリやガイドレール等の案内手段によって構成する。その取付け基部には、取付腕２５を機体幅方向に調節保持可能なホルダ２５ａと、ガイド部材２の保持位置を作業位置から切替えて走行の邪魔にならない上方の収納位置に変更保持することが可能な保持切替部２１、または、保持位置から取り外しするための着脱機構等による保持部を構成する。保持切替部２１は、例えば、機体からその幅方向に延びる支軸２２を設け、この支軸２２についてガイド部材２の支持アーム２３を上下に回動可能に切替手段を構成し、この支持アーム２３の角度位置をワンタッチで切替固定する支点越ばね２４等を設ける。また、ガイド部材２のガイド位置を調節するために、支持アーム２３をその長手方向に調節する押しボルト等による固定ハンドル２６、取付腕２５を幅方向に調節する前記同様の固定ハンドル２７を設ける。
【００１５】
畦際耕耘爪４は、ブロック畦やコンクリート畦と対抗可能な鋼板材等の円板によるディスク３１を外側端に配置し、掘削半径の大なる外ロータリ爪３２…を外側に、掘削半径の小なる内ロータリ爪３３…を内側に配置して構成し、ロータリ軸３の畦に臨む側に機体の外方に突出して取付ける。畦の側面に切り込む場合は、ディスク３１の周縁に鋸歯を形成したものを使用する。
【００１６】
この畦際耕耘爪４により、外ロータリ爪３２…が畦際に溝を形成し、内ロータリ爪３３…が溝の周縁を整地するように畦際部の所定幅を掘起こす。また、外側端のディスク３１により、ブロック畦やコンクリート畦に接触する位置まで機体を寄せて作業することができるので、無駄な残耕部の無い畦際処理が可能となる。畦際に形成した溝は圃場に対する導排水のほか、防水用の畦シートの固定に使用する。畦の側面を切り込んで整形する場合は、さらに外方に突出してロータリ軸３に取付けることにより、切り込み量を確保する。畦と反対側のロータリ軸３には、通常のロータリ耕耘爪３ａを取付ける。
【００１７】
溝浚具５は、その正面図を図４に示すように、機体の幅方向について畦際耕耘爪４のディスク３１の位置に畦Ａの側面を整形しつつ溝Ｂを浚う側面整形部４１と耕土を寄せつつ整形する溝整形部４２等から構成する。この溝浚具５の側方には、機体後部を所定高さに支持する尾輪５１を設ける。この尾輪５１は、上方に延びる長い支持棒５１ａを備え、機体に対して着脱可能に取付ける。尾輪５１は、支持棒５１ａを下にして上下を逆に取付けることにより圃場面に接触する抵抗棒として機能し、ダッシング動作の防止、畦の無いハウスの支柱際等の作業の際の直進性を補う。
【００１８】
上記構成の畦際処理装置は、ガイド部材２、畦際耕耘爪４、溝浚具５を歩行型ロータリ耕耘機に装着し、畦際耕耘爪４の外側端を畦Ａの側面に接して機体を前進させることにより、畦Ａの片側の法面が削り出され、次いで、後部の溝浚具５によって耕土を片側に寄せて溝Ｂが整形される。この時、機体の前部に取付けたガイド部材２が畦Ａの側面に接して機体の進行方向を案内することから、畦際耕耘爪４による偏心負荷を受けても、機体の進行方向が確保される。したがって、オペレータの操作負荷を要することなく、機体が畦に沿って前進することにより、効率良く高精度で畦際処理を進めることができる。
【００１９】
この場合において、ガイド部材２は、上下の固定ハンドル２６と幅方向の固定ハンドル２７で畦の側面に合わせ、または、土畦の法面の切削量と合わせて調節する。ガイド部材２が図例のように２輪並列配置の場合は、その幅寸法の範囲で土畦等の凹凸を平均化した滑らかなガイド走行が可能となる。
【００２０】
作業場所間を移動走行する際は、支点越ばね２４による保持切替部２１によってガイド部材２の保持位置をワンタッチで変更することができるので、地上側の凹凸の影響を受けることなく、移動経路上をスムーズに走行することができる。
なお、上記歩行型ロータリ耕耘機は、機体前部にロータリ軸を備えるタイプや、走行車輪を持たないタイプについても上記同様にして畦際処理装置を適用することができる。
【図面の簡単な説明】
【００２１】
【図１】歩行型ロータリ耕耘機の側面図である。
【図２】歩行型ロータリ耕耘機の平面図である。
【図３】歩行型ロータリ耕耘機の正面図である。
【図４】溝浚具の正面図である。
【符号の説明】
【００２２】
１    歩行型ロータリ耕耘機
２    ガイド部材
３ａ    ロータリ耕耘爪
３    ロータリ軸
４    畦際耕耘爪
５    溝浚具
２１    保持切替部（保持部）
２２    支軸（切替手段）
２４    支点越えばね
３１    ディスク
３２    外ロータリ爪
３３    内ロータリ爪
４１    側面整形部
４２    溝整形部
Ａ    畦
Ｂ    溝
【図１】
2005176773.tif 000003
【図２】
2005176773.tif 000004
【図３】
2005176773.tif 000005
【図４】
2005176773.tif 000006